(57)【要約】    【課題】      電子機器から発生する電磁波ノイズの干渉を低減し、良好な通信品質を確保すると共に、破損を防止するアンテナ装置を提供する。    【解決手段】  長方形状のカード型筐体１０１の短辺部分に沿ってアンテナエレメント１０３を備え、アンテナエレメント１０３がコの字型のアンテナ筐体１０４に収納される。アンテナ筐体１０４はその両端部分でスライド部材１０５に回動自在に軸支され、スライド部材１０５は、カード型筐体１０１の２つの長辺にそれぞれ設けられたスライド穴１０６にスライド可能に設けられる。  【選択図】      図１
2006054552.tif 000002
【特許請求の範囲】
【請求項１】
カード型筐体と、
アンテナエレメントを収容するアンテナ筐体と、
前記カード型筐体と前記アンテナ筐体とに接続され、前記カード型筐体と前記アンテナ筐体との距離を伸縮させる伸縮手段と、
を具備することを特徴とするアンテナ装置。
【請求項２】
前記アンテナ筐体を前記伸縮手段に回動自在に軸支されることを特徴とする請求項１に記載のアンテナ装置。
【請求項３】
前記伸縮手段は、収縮時に弾性エネルギーを蓄える弾性体と、
前記弾性体に蓄えられた弾性エネルギーを解放する解放手段と、
を具備することを特徴とする請求項１又は請求項２に記載のアンテナ装置。
【請求項４】
受信した信号の受信レベルを測定する受信レベル測定手段と、
前記受信レベル測定手段によって測定された受信レベルに応じた表示を行う表示手段と、
を具備することを特徴とする請求項１から請求項３のいずれかに記載のアンテナ装置。
【請求項５】
前記アンテナ筐体を着脱可能とすることを特徴とする請求項１から請求項４のいずれかに記載のアンテナ装置。
【発明の詳細な説明】
【技術分野】
【０００１】
本発明は、アンテナ装置に関し、特に、ＰＣカード等のモジュールに搭載されるアンテナ装置に関する。
【背景技術】
【０００２】
一般的なノート型パーソナルコンピュータ（以下、単に「ノート型パソコン」という）やＰＤＡ（Personal Digital Assistance）等の電子機器には、ＰＣカード用のスロットが設けられており、無線ＬＡＮ（Local Area Network）に接続する機能を備えたＰＣカードをスロットに差し込んで、無線通信が行われることが多い。このようなＰＣカードは、ノート型パソコンと接続するインタフェース、送受信処理を行う送受信回路及びアンテナ装置等を備えている。
【０００３】
ＰＣカードに備えられたアンテナ装置については特許文献１に開示されており、図８（ａ）に示す構成となっている。この図が示すように、アンテナエレメント１９を備えたアンテナ可動部１３が支点１６でＰＣカード１１に回転自在に軸支され、アンテナ可動部１４が支点１７でアンテナ可動部１３に回転自在に軸支され、ＰＣカード１１に沿って摺動可能なガイド１５が支点１８でアンテナ可動部１４に軸支されている。
【０００４】
ＰＣカード１１を電子機器に設けられたスロットに差し込む際、図８（ｂ）に示すように、アンテナ可動部１３及び１４をＰＣカード１１に張り付いた状態から起き上がった状態とすることができる。これにより、アンテナエレメント１９のアンテナ高を高くすることができ、アンテナ効率及び放射特性の良好なアンテナ装置を実現することができる。
【特許文献１】特開２００１−２４３４３５号公報
【発明の開示】
【発明が解決しようとする課題】
【０００５】
しかしながら、上記特許文献１に記載のアンテナ装置では、電子機器本体とアンテナとの距離が固定であるため、パソコンから発生するノイズの干渉を受け、通信品質が劣化することがある。また、ＰＣカードをスロットに差し込むことにより、アンテナを起き上がらせるものの、アンテナ高を高くするとユーザがパソコン等を操作中にアンテナに接触する機会が多くなり、アンテナが破損する原因ともなる。
【０００６】
本発明はかかる点に鑑みてなされたものであり、電子機器から発生するノイズの干渉を低減し、良好な通信品質を確保すると共に、破損を防止するアンテナ装置を提供することを目的とする。
【課題を解決するための手段】
【０００７】
本発明のアンテナ装置は、カード型筐体と、アンテナエレメントを収容するアンテナ筐体と、前記カード型筐体と前記アンテナ筐体とに接続され、前記カード型筐体と前記アンテナ筐体との距離を伸縮させる伸縮手段と、を具備する構成を採る。
【０００８】
この構成によれば、カード型筐体とアンテナエレメントを収容するアンテナ筐体との距離を伸縮させることにより、カード型筐体をノート型パソコン等の電子機器に装着した場合、電子機器からのノイズが大きくても、ノイズの干渉を低減することができる。
【発明の効果】
【０００９】
本発明によれば、電子機器から発生するノイズの干渉を低減し、良好な通信品質を確保すると共に、破損を防止するアンテナ装置を提供することができる。
【発明を実施するための最良の形態】
【００１０】
以下、本発明の実施の形態について、図面を参照して詳細に説明する。なお、実施の形態において、同一機能を有する構成には同一の符号を付し、重複する説明は省略する。
【００１１】
（実施の形態１）
本発明の実施の形態１に係るアンテナ装置１００は、図１（ａ）に示すように、長方形状のカード型筐体１０１の短辺部分にノート型パソコンやＰＤＡといった電子機器と接続するインタフェース１０２を備え、他の短辺部分に短辺に沿ってアンテナエレメント１０３を備えている。
【００１２】
アンテナエレメント１０３はコの字型のアンテナ筐体１０４に収納されており、アンテナ筐体１０４はその両端部分でスライド部材１０５に回動自在に軸支されている。
【００１３】
スライド部材１０５は、カード型筐体１０１の２つの長辺にそれぞれ設けられたスライド穴１０６にスライド可能に設けられており、図１（ｂ）に示すように、アンテナ筐体１０４をカード型筐体１０１の長辺方向外側に引き出すことができる。これにより、アンテナ筐体１０４とカード型筐体１０１との距離を自在に変えることができる。このため、アンテナ装置１０１をノート型パソコン等の電子機器に差し込んだ際、電子機器本体から発生するノイズの影響が大きいときは、アンテナ筐体１０４をカード型筐体１０１から離せば、自ずとアンテナエレメント１０３が電子機器本体から離れるため、ノイズを低減することができる。また、電子機器を操作中のユーザがアンテナ筐体１０４に接触しにくくなるので、アンテナ装置１００の破損を防止することができる。なお、スライド部材１０５及びスライド穴１０６は伸縮手段として機能する。
【００１４】
次に、アンテナ筐体１０４の両端部分を軸にアンテナ筐体１０４を回転させる場合について図２に示す。図２（ａ）は、アンテナ筐体１０４を立ち上げた状態を示している。ただし、この状態では、ユーザがノート型パソコン等の電子機器を操作中にアンテナ筐体１０４に接触してしまうことが考えられるので、アンテナ筐体１０４を外側へ引き出して立ち上げることが望ましい。図２（ｂ）は、アンテナ筐体１０４を立ち下げた状態を示している。このように、アンテナ筐体１０４を立ち上げたり立ち下げたりすることにより、電波状態に応じてアンテナエレメント１０３を位置させることができるので、受信感度を向上させることができる。
【００１５】
このように実施の形態１によれば、アンテナ筐体をカード型筐体の長辺方向に自在に伸縮させることにより、アンテナ装置をノート型パソコン等の電子機器に装着した際、電子機器本体とアンテナエレメントとの距離を広げることができるので、電子機器本体から発生するノイズを低減することができ、通信品質を良好に維持することができる。また、電子機器を操作中のユーザがアンテナ装置に接触しにくくなるので、アンテナ装置の破損を防止することができる。
【００１６】
（実施の形態２）
本発明の実施の形態２に係るアンテナ装置１１０は、図３に示すように、カード型筐体１０１に形成されたスライド穴１０６の閉端部に伸縮手段として機能するバネ１１１の一端が接続され、他端がスライド部材１０５の一端に接続されている。
【００１７】
スライド部材１０５には、突起部１１２が設けられており、突起部１１２の先端に力を加えると反発力を有しながら突起部１１２を押し込めるようになっている。突起部１１２はカード型筐体１０１の長辺側面に設けられた穴に嵌合する。
【００１８】
図３（ａ）に示すように、アンテナ筐体１０４が収納されている状態では、バネ１１１が弾性エネルギーを蓄えながら縮んでおり、スライド部材１０５に設けられた突起部１１２がカード型筐体１０１の長辺側面に設けられた穴に嵌合し、バネ１１１が弾性エネルギーによって元に戻るのを防止している。
【００１９】
ここで、スライド部材１０５に設けられた解放手段としての突起部１１２を押し込めると、図３（ｂ）に示すように、バネ１１１は蓄えた弾性エネルギーによって元に戻るため、伸長する。バネ１１１の一端はスライド穴１０６の閉端部に接続され、他端はスライド部材１０５の一端に接続されているため、バネ１１１が伸長することによりスライド部材１０５が穴に沿って突出し、スライド部材１０５の他端に接続されたアンテナ筐体１０４はカード型筐体１０１からの距離を広げることになる。
【００２０】
スライド部材１０５に設けられた突起部１１２は、突出したスライド部材１０５を収容する際に、アンテナ筐体１０４とカード型筐体１０１との距離が段階的に短くなるように、スライド穴１０６に係止する。これにより、アンテナ筐体１０４とカード型筐体１０１との距離を調整することができ、受信状態を良好に維持することができる。
【００２１】
このように実施の形態２によれば、スライド部材に設けられた突起部を押し込むことにより、バネの弾性エネルギーによってアンテナ筐体が自動的に引き出された状態となるので、アンテナ筐体と電子機器本体との距離を容易に確保することができる。
【００２２】
（実施の形態３）
本発明の実施の形態３に係るアンテナ装置１２０は、図４に示すように、アンテナ筐体１０４に表示手段としてのＬＥＤ１２１が設けられており、電波の受信状態を色分けして表示する。
【００２３】
また、アンテナ装置１２０は、図５に示すような構成を有しており、アンテナエレメント１０３で受信された信号は受信部１２２でダウンコンバート等の受信処理を施され、受信処理された信号が復調部１２３で復調される。復調信号は、受信レベル測定部１２４で受信レベルが測定され、受信レベル測定部１２４が受信レベルに応じてＬＥＤ１２１を制御する。
【００２４】
これにより、受信レベル、すなわち受信状態に応じてＬＥＤ１２１を色分け表示することができる。ユーザは、ＬＥＤ１２１に表示された色を確認しながら、アンテナ筐体１０４と電子機器本体との距離を調整することにより、受信レベルを良好に維持することができる。
【００２５】
（実施の形態４）
本発明の実施の形態４に係るアンテナ装置１３０は、図６に示すように、コの字型のアンテナ筐体１０４の両端から屈曲部までの間で、かつ外側にそれぞれ突起部１３１が形成され、カード型筐体１０１に設けられたスライド部材１０５には、アンテナ筐体１０４に形成された突起部１３１と嵌合する凹部１３２が形成されている。
【００２６】
ここで、図７（ａ）に示すように、アンテナ筐体１０４の両端部にアンテナ筐体１０４の弾性限界内で外側から力を加えると、アンテナ筐体１０４が内側へ湾曲し、アンテナ筐体１０４がスライド部材１０５と着脱可能となる（図７（ｂ）はアンテナ筐体１０４を装着した状態を示す）。これにより、アンテナエレメント１０３又はアンテナ筐体１０４の破損、経年劣化が生じた場合にも、容易にアンテナを交換することができる。
【００２７】
なお、スライド部材１０５の凹部１３２とアンテナ筐体１０４の突起部１３１とは電気的に接続されるものであり、アンテナエレメント１０３はカード型筐体１０１内の図示せぬ給電ラインと接続するようにしている。
【産業上の利用可能性】
【００２８】
本願発明にかかるアンテナ装置は、ＰＣカード等に適用できる。
【図面の簡単な説明】
【００２９】
【図１】本発明の実施の形態１に係るアンテナ装置の構成を示す平面図
【図２】（ａ）アンテナ筐体が立ち上がった状態を示す斜視図、（ｂ）アンテナ筐体が立ち下がった状態を示す斜視図
【図３】本発明の実施の形態２に係るアンテナ装置の構成を示す図
【図４】本発明の実施の形態３に係るアンテナ装置の構成を示す平面図
【図５】本発明の実施の形態３に係るアンテナ装置の構成を示すブロック図
【図６】本発明の実施の形態４に係るアンテナ装置の構成を示すブロック図
【図７】アンテナ筐体の着脱の説明に供する図
【図８】ＰＣカードに備えられたアンテナ装置の構成を示す図
【符号の説明】
【００３０】
１０１  カード型筐体
１０２  インタフェース
１０３  アンテナエレメント
１０４  アンテナ筐体
１０５  スライド部材
１０６  スライド穴
１１１  バネ
１１２、１３１  突起部
１２１  ＬＥＤ
１２２  受信部
１２３  復調部
１２４  受信レベル測定部
１３２  凹部
【図１】
2006054552.tif 000003
【図２】
2006054552.tif 000004
【図３】
2006054552.tif 000005
【図４】
2006054552.tif 000006
【図５】
2006054552.tif 000007
【図６】
2006054552.tif 000008
【図７】
2006054552.tif 000009
【図８】
2006054552.tif 000010